(57)【要約】【課題】  マーキングされた原稿を画像として取り込み，マーカー領域を目視できる状態と目視できない状態とに切り替えて表示することの可能な画像表示装置を提供する。【解決手段】  マーキングが記入された被処理媒体が入力され，入力画像を取得する画像入力部１１０と，入力画像から被処理媒体上にマーキングされたマーカー領域を判別するマーカー領域判別部１２０と，マーカー領域の表示方法を切り替える表示方法切替部１３０と，マーカー領域判別部で判別したマーカー領域を，表示方法切替部で指定した表示方法で切り替えて，入力画像を表示する画像表示部１４０とを備えた。入力画像からマーカー領域を判別し，マーカー領域の表示方法を切り替える手段を設けることによって，マーキングされた原稿を画面上に表示する際，簡単にマーカー領域の表示方法を切り替えて表示することができる。【選択図】  図１
2005217599.tif 000002
【特許請求の範囲】
【請求項１】
マーキングが記入された被処理媒体が入力され，入力画像を取得する画像入力部と，
前記入力画像から前記被処理媒体上にマーキングされたマーカー領域を判別するマーカー領域判別部と，
前記マーカー領域の表示方法を切り替える表示方法切替部と，
前記マーカー領域判別部で判別したマーカー領域を，前記表示方法切替部で指定した表示方法で切り替えて，前記入力画像を表示する画像表示部と，
を備えたことを特徴とする，画像表示装置。
【請求項２】
前記マーカー領域判別部は，前記被処理媒体上に所定の色で塗り潰された領域または所定の色で囲まれた領域を前記マーカー領域として判別することを特徴とする，請求項１に記載の画像表示装置。
【請求項３】
前記マーカー領域判別部は，前記被処理媒体上で所定の色で構成された領域を前記マーカー領域として判別することを特徴とする，請求項１または２に記載の画像表示装置。
【請求項４】
前記マーカー領域判別部は，前記被処理媒体上で枠線によって囲まれた閉領域を前記マーカー領域として判別することを特徴とする，請求項１〜３のいずれかに記載の画像表示装置。
【請求項５】
前記マーカー領域判別部は，前記被処理媒体上で所定のマークの存在する領域を前記マーカー領域として判別することを特徴とする，請求項１〜４のいずれかに記載の画像表示装置。
【請求項６】
前記画像表示部は，前記マーカー領域の表示を，前記入力画像の表示と所定の色またはパターンまたは背景色での塗り潰し表示とに切り替えて表示することを特徴とする，請求項１〜５のいずれかに記載の画像表示装置。
【請求項７】
前記画像表示部は，前記マーカー領域を所定の色またはパターンまたは背景色とし，その他の部分を透過色としたマスク画像を作成し，前記マスク画像と前記入力画像とを重ね合わせることによりマーカー領域の塗り潰し表示を行うことを特徴とする，請求項６に記載の画像表示装置。
【請求項８】
前記画像表示部は，前記マーカー領域の表示を，前記入力画像の表示と低解像度表示とに切り替えて表示することを特徴とする，請求項１〜５のいずれかに記載の画像表示装置。
【請求項９】
前記画像表示部が前記マーカー領域の表示に用いる色およびパターンは，ユーザが任意に指定するかまたはマーカー領域に応じて自動的に決定されることを特徴とする，請求項１〜８のいずれかに記載の画像表示装置。
【請求項１０】
前記マーカー領域ごとの表示方法の切り替えを指定する表示切替マーカー指定部をさらに備え，
前記画像表示部は，複数存在する前記マーカー領域のうち，前記表示切替マーカー指定部により指定されたマーカー領域のみの表示方法を切り替えて，前記入力画像を表示することを特徴とする，請求項１〜９のいずれかに記載の画像表示装置。
【請求項１１】
前記画像表示部は，複数存在する前記マーカー領域を所定の順番で表示方法を切り替えて，前記入力画像を表示することを特徴とする，請求項１０に記載の画像表示装置。
【請求項１２】
前記画像表示部は，前記表示切替マーカー指定部により指定されたマーカー領域が画面の中央に表示されるように画像をスクロールさせることを特徴とする，請求項１０または１１に記載の画像表示装置。
【請求項１３】
前記マーカー領域の表示方法を切り替えて表示を行う複数の画像に対して，画像を表示する順番を記憶し，複数存在する画像から前記画像入力部に入力する画像を制御する画像制御部と，
前記表示切替マーカー指定部が指定した前記マーカー領域の状態に関する情報を保持する状態保持部と，
をさらに備えたことを特徴とする，請求項１０〜１２のいずれかに記載の画像表示装置。
【請求項１４】
前記マーカー領域として判別する対象とするマーカー種別を設定するマーカー種別設定部をさらに備え，
前記マーカー領域判別部は，前記マーカー種別設定部で設定したマーカー領域のみを判別することを特徴とする，請求項１〜１３のいずれかに記載の画像表示装置。
【請求項１５】
前記マーカー領域判別部で判別したマーカー領域の種別ごとに，対応する表示方法を設定するマーカー表示設定部をさらに備えたことを特徴とする，請求項１４に記載の画像表示装置。
【請求項１６】
マーキングが記入された被処理媒体が入力され，入力画像を取得する画像入力工程と，
前記入力画像から前記被処理媒体上にマーキングされたマーカー領域を判別するマーカー領域判別工程と，
前記マーカー領域の表示方法を切り替える表示方法切替工程と，
前記マーカー領域判別工程で判別したマーカー領域を，前記表示方法切替工程で指定した表示方法で切り替えて，前記入力画像を表示する画像表示工程と，
を含むことを特徴とする，画像表示方法。
【請求項１７】
前記マーカー領域判別工程において，前記被処理媒体上に所定の色で塗り潰された領域または所定の色で囲まれた領域を前記マーカー領域として判別することを特徴とする，請求項１６に記載の画像表示方法。
【請求項１８】
前記マーカー領域判別工程において，前記被処理媒体上で所定の色で構成された領域を前記マーカー領域として判別することを特徴とする，請求項１６または１７に記載の画像表示方法。
【請求項１９】
前記マーカー領域判別工程において，前記被処理媒体上で枠線によって囲まれた閉領域を前記マーカー領域として判別することを特徴とする，請求項１６〜１８のいずれかに記載の画像表示方法。
【請求項２０】
前記マーカー領域判別工程において，前記被処理媒体上で所定のマークの存在する領域を前記マーカー領域として判別することを特徴とする，請求項１６〜１９のいずれかに記載の画像表示方法。
【請求項２１】
前記画像表示工程において，前記マーカー領域の表示を，前記入力画像の表示と所定の色またはパターンまたは背景色での塗り潰し表示とに切り替えて表示することを特徴とする，請求項１６〜２０のいずれかに記載の画像表示方法。
【請求項２２】
前記画像表示工程において，前記マーカー領域を所定の色またはパターンまたは背景色とし，その他の部分を透過色としたマスク画像を作成し，前記マスク画像と前記入力画像とを重ね合わせることによりマーカー領域の塗り潰し表示を行うことを特徴とする，請求項２１に記載の画像表示方法。
【請求項２３】
前記画像表示工程において，前記マーカー領域の表示を，前記入力画像の表示と低解像度表示とに切り替えて表示することを特徴とする，請求項１６〜２０に記載の画像表示方法。
【請求項２４】
前記画像表示工程において前記マーカー領域の表示に用いる色およびパターンは，ユーザが任意に指定するかまたはマーカー領域に応じて自動的に決定されることを特徴とする，請求項１６〜２３のいずれかに記載の画像表示方法。
【請求項２５】
前記マーカー領域ごとの表示方法の切り替えを指定する表示切替マーカー指定工程をさらに含み，
前記画像表示工程において，複数存在する前記マーカー領域のうち，前記表示切替マーカー指定工程により指定されたマーカー領域のみの表示方法を切り替えて，前記入力画像を表示することを特徴とする，請求項１６〜２４のいずれかに記載の画像表示方法。
【請求項２６】
前記画像表示工程において，複数存在する前記マーカー領域を所定の順番で表示方法を切り替えて，前記入力画像を表示することを特徴とする，請求項２５に記載の画像表示方法。
【請求項２７】
前記画像表示工程において，前記表示切替マーカー指定工程により指定されたマーカー領域が画面の中央に表示されるように画像をスクロールさせることを特徴とする，請求項２５または２６に記載の画像表示方法。
【請求項２８】
前記マーカー領域の表示方法を切り替えて表示を行う複数の画像に対して，画像を表示する順番を記憶し，複数存在する画像から前記画像入力工程で入力される画像を制御する画像制御工程と，
前記表示切替マーカー指定工程において指定された前記マーカー領域の状態に関する情報を保持する状態保持工程と，
をさらに含むことを特徴とする，請求項２５〜２７のいずれかに記載の画像表示方法。
【請求項２９】
前記マーカー領域として判別する対象とするマーカー種別を設定するマーカー種別設定工程をさらに含み，
前記マーカー領域判別工程において，前記マーカー種別設定工程で設定されたマーカー領域のみを判別することを特徴とする，請求項１６〜２８のいずれかに記載の画像表示方法。
【請求項３０】
前記マーカー領域判別工程で判別されたマーカー領域の種別ごとに，対応する表示方法を設定するマーカー表示設定工程をさらに含むことを特徴とする，請求項２９に記載の画像表示方法。
【発明の詳細な説明】
【技術分野】
【０００１】
本発明は，入力された画像上でマーキングされた領域を認識し，その部分の表示方法を切り替えることができる画像表示装置および画像表示方法に関するものである。
【背景技術】
【０００２】
従来から，教科書などの特定部分を暗記する学習において，特定部分を一時的に目視できない状態にする学習用具が知られている。この学習用具は，補色対の一方の色を有するチェックペンを用いて印刷紙面の特定部分にマーキングを施し，補色対の他方の色を有するチェックシートを印刷紙面と重ねることで特定部分を目視できない状態にするものであった（例えば，特許文献１参照。）。
【０００３】
また，マーキングされた原稿を読み取った画像から，原稿上に記入されたマーカー領域を判別し，そのマーカー領域に対して，所定の画像処理を行う，いわゆるマーカー編集を行う画像処理装置は多数提案されている。例えば，特許文献２に開示される装置では，原稿上の異なる色で指定された領域を画像処理領域として判別し，各領域に対して異なる画像処理を行っている。
【０００４】
【特許文献１】特開平０９−１７９４８３号公報
【特許文献２】特公平０２−０４１９４９号公報
【発明の開示】
【発明が解決しようとする課題】
【０００５】
ところで，従来の画像処理装置では，マーカー領域に対して画像処理を施した画像を出力することが目的であり，マーキングされた原稿を読み取った画像におけるマーカー領域の表示方法を切り替えて画像表示を行うといった概念はなく，マーカー領域を画像処理した画像だけは表示できても，画像処理する前の画像と切り替えて表示するような装置は存在しなかった。すなわち，上記のような学習手段を提供するような，マーカー領域を目視できる状態と目視できない状態に切り替えて表示する電子機器装置は存在しなかった。
【０００６】
また，従来の学習用具を用いて学習する際は，暗記対象の教科書などを必要なときには常に持ち運ぶ必要があった。
【０００７】
本発明は，従来技術が有する上記問題点に鑑みてなされたものであり，本発明の目的は，マーキングされた原稿を画像として取り込み，マーカー領域を目視できる状態と目視できない状態とに切り替えて表示することの可能な，新規かつ改良された画像表示装置および画像表示方法を提供することである。
【課題を解決するための手段】
【０００８】
上記課題を解決するため，本発明の第１の観点によれば，画像表示装置が提供される。本発明の画像表示装置は，マーキングが記入された被処理媒体が入力され，入力画像を取得する画像入力部（１１０）と，入力画像から被処理媒体上にマーキングされたマーカー領域を判別するマーカー領域判別部（１２０）と，マーカー領域の表示方法を切り替える表示方法切替部（１３０）と，マーカー領域判別部で判別したマーカー領域を，表示方法切替部で指定した表示方法で切り替えて，入力画像を表示する画像表示部（１４０）と，を備えたことを特徴とする（請求項１）。
【０００９】
かかる構成によれば，マーキングされた原稿を画像として入力し，その入力画像からマーカー領域を判別し，マーカー領域の表示方法を切り替える手段を設けることによって，マーキングされた原稿を画面上に表示する際，簡単にマーカー領域の表示方法を切り替えて表示することができる。具体的には，原稿上のマーキングされた領域を入力画像の表示と所定の色またはパターンでの表示とに切り替えることで，例えば原稿上のマーキング部分の記入内容を目視できる状態と目視できない状態とに容易に切り替えて表示することができる。また，かかる本発明は，例えばカメラ付携帯端末装置として実現することが好適である。すなわち，画像入力部をカメラ（撮像手段）とし，画像表示部を携帯端末の表示部として構成することで，携帯性に優れた学習装置を提供することができる。
【００１０】
本発明の画像表示装置において，以下のような応用が可能である。
【００１１】
マーカー領域判別部（１２０）は，例えば以下のような領域をマーカー領域として判別することができる。
・被処理媒体上に所定の色で塗り潰された領域または所定の色で囲まれた領域。例えば，原稿上に蛍光ペンで塗り潰された領域や色彩ペンで囲まれた領域（請求項２）。
・被処理媒体上で所定の色で構成された領域。例えば，重要な文言が赤などの異なる色で構成された領域（請求項３）。
・被処理媒体上で枠線によって囲まれた閉領域（請求項４）。
・被処理媒体上で所定のマークの存在する領域。例えば，下線の存在する領域やカッコ内の領域（請求項５）。
【００１２】
画像表示部（１４０）は，マーカー領域の表示を，入力画像の表示と所定の色またはパターンまたは背景色での塗り潰し表示とに切り替えて表示するようにしてもよい（請求項６）。
【００１３】
画像表示部（１４０）は，マーカー領域を所定の色またはパターンまたは背景色とし，その他の部分を透過色としたマスク画像を作成し，マスク画像と入力画像とを重ね合わせることによりマーカー領域の塗り潰し表示を行うようにしてもよい（請求項７）。かかるマスク画像を作成することで，マーカー領域に該当する部分は塗り潰されて目視できない状態となり，その他の領域は透過されて目視できる状態とすることができる。
【００１４】
画像表示部（１４０）は，マーカー領域の表示を，入力画像の表示と低解像度表示とに切り替えて表示するようにしてもよい（請求項８）。このような低解像度での表示や低濃度レベルでの表示など，画像の一部の情報のみを用いて表示することで，表示媒体上に表示された内容を目視できない状態にすることができ，所定の色で塗り潰すことと表示上同様の効果が得られる。
【００１５】
画像表示部（１４０）がマーカー領域の表示に用いる色およびパターンは，ユーザが任意に指定するかまたはマーカー領域に応じて自動的に決定されるようにしてもよい（請求項９）。
【００１６】
マーカー領域ごとの表示方法の切り替えを指定する表示切替マーカー指定部（１５０）をさらに備え，画像表示部（１４０）は，複数存在するマーカー領域のうち，表示切替マーカー指定部により指定されたマーカー領域のみの表示方法を切り替えて，入力画像を表示するようにしてもよい（請求項１０）。かかる構成によれば，マーキングされた表示画面を画像として入力し，その入力画像からマーカー領域を判別し，判別したマーカー領域のうち指定したマーカー領域のみの表示方法を切り替えることができるので，ユーザが任意のマーカー領域の表示方法を変えることができる。具体的には，表示画面上の注目しているマーキング部分に表示されていた内容のみを，例えば目視できる状態と目視できない状態とに容易に切り替えて表示し，その他のマーキング部分は目視できる状態にしておくことができる。従って，マーキング部分を順番に注目し，その都度注目しているマーキング部分の表示内容のみを，例えば目視できる状態と目視できない状態とに容易に切り替えて表示することができる。
【００１７】
画像表示部（１４０）は，複数存在するマーカー領域を所定の順番で表示方法を切り替えて，入力画像を表示するようにしてもよい（請求項１１）。例えば，ユーザの表示切り替え指示に基づいてその順番でマーカー領域の表示方法を切り替えることができるので，例えば，マーキングの種別と重要度を対応づけ，重要度の高い順番にマーカー領域の表示方法を切り替えて表示することが可能である。
【００１８】
画像表示部（１４０）は，表示切替マーカー指定部により指定されたマーカー領域が画面の中央に表示されるように画像をスクロールさせるようにしてもよい（請求項１２）。例えば，マーキングの種別と重要度を対応づけ，重要度の高い順番にマーカー領域の表示方法を切り替えて表示する場合などにおいて，注目すべきマーカー領域を，画面の中央に表示することができる。
【００１９】
マーカー領域の表示方法を切り替えて表示を行う複数の画像に対して，画像を表示する順番を記憶し，複数存在する画像から画像入力部に入力する画像を制御する画像制御部（１８０）と，表示切替マーカー指定部（１５０）が指定したマーカー領域の状態に関する情報を保持する状態保持部（１９０）と，をさらに備えるようにしてもよい（請求項１３）。かかる構成によれば，画像制御部では，マーカー領域の表示方法を切り替えて表示を行う複数の画像に対して，どの順番で画像を表示するかを記憶しておく。そして，状態保持部では，マーカー領域の状態に関する情報，例えば，画像の表示を中断する際に，表示する画像の順番，表示している画像，表示方法を切り替えているマーカー領域などに関する情報を保持することができる。このようにして，表示方法を切り替えたいマーカー領域が複数の画像に存在した場合も，容易に設定した順番で画像を表示し，マーカー領域の表示方法を切り替えることができる。また，画像の表示を中断した際に，表示している画像や表示方法を切り替えているマーカー領域の状態を記憶しておくことで，その後画像の表示を再開する際に，記憶しておいた状態に基づいて中断した際と同じ状態に復帰させることができる。
【００２０】
マーカー領域として判別する対象とするマーカー種別を設定するマーカー種別設定部（１６０）をさらに備え，マーカー領域判別部（１２０）は，マーカー種別設定部で設定したマーカー領域のみを判別するようにしてもよい（請求項１４）。かかる構成によれば，マーキングされた原稿を画像として入力し，その入力画像から指定するマーカー領域だけを判別することによって，マーキングされた原稿を画面上に表示する際，指定したマーカー領域のみの表示方法を切り替えて表示することができる。すなわち原稿上に複数の種別のマーキングがあったとしても，ユーザが表示方法を切り替えたい任意のマーカー種別だけを指定し，そのマーカー領域を表示する際にそのマーカー領域だけの表示方法を切り替えることができる。具体的には，原稿上の指定したマーキング種別の領域だけを入力画像の表示と所定の色やパターンまたは背景色での表示とに切り替えることで，原稿上の指定したマーキング部分のみ記入内容を，例えば目視できる状態と目視できない状態とに容易に切り替えて表示することが実現できる。
【００２１】
マーカー領域判別部で判別したマーカー領域の種別ごとに，対応する表示方法を設定するマーカー表示設定部（１７０）をさらに備えるようにしてもよい（請求項１５）。かかる構成によれば，各マーカー領域の種別に応じてマーカー領域の表示方法を指定することができる。従って，原稿の内容種別（例えば，平仮名，片仮名，英字や数字など）に応じて異なるマーキングを施しておけば，原稿上のマーキング部分の記入内容が目視できない状態の場合であっても，表示方法が異なるので記入内容の種別が即座に確認できる。
【００２２】
また，上記課題を解決するため，本発明の第２の観点によれば，画像表示方法が提供される。本発明の画像表示方法は，マーキングが記入された被処理媒体が入力され，入力画像を取得する画像入力工程と，入力画像から被処理媒体上にマーキングされたマーカー領域を判別するマーカー領域判別工程と，マーカー領域の表示方法を切り替える表示方法切替工程と，マーカー領域判別工程で判別したマーカー領域を，表示方法切替工程で指定した表示方法で切り替えて，入力画像を表示する画像表示工程と，を含むことを特徴とする（請求項１６）。
【００２３】
かかる方法によれば，マーキングされた原稿を画像として入力し，その入力画像からマーカー領域を判別し，マーカー領域の表示方法を切り替えることによって，マーキングされた原稿を画面上に表示する際，簡単にマーカー領域の表示方法を切り替えて表示することができる。具体的には，原稿上のマーキングされた領域を入力画像の表示と所定の色またはパターンでの表示とに切り替えることで，例えば原稿上のマーキング部分の記入内容を目視できる状態と目視できない状態とに容易に切り替えて表示することができる。
【００２４】
本発明の画像表示方法において，以下のような応用が可能である。
【００２５】
マーカー領域判別工程において，例えば以下のような領域をマーカー領域として判別することができる。
・被処理媒体上に所定の色で塗り潰された領域または所定の色で囲まれた領域。例えば，原稿上に蛍光ペンで塗り潰された領域や色彩ペンで囲まれた領域（請求項１７）。
・被処理媒体上で所定の色で構成された領域。例えば，重要な文言が赤などの異なる色で構成された領域（請求項１８）。
・被処理媒体上で枠線によって囲まれた閉領域（請求項１９）。
・被処理媒体上で所定のマークの存在する領域。例えば，下線の存在する領域やカッコ内の領域（請求項２０）。
【００２６】
画像表示工程において，マーカー領域の表示を，入力画像の表示と所定の色またはパターンまたは背景色での塗り潰し表示とに切り替えて表示するようにしてもよい（請求項２１）。
【００２７】
画像表示工程において，マーカー領域を所定の色またはパターンまたは背景色とし，その他の部分を透過色としたマスク画像を作成し，マスク画像と入力画像とを重ね合わせることによりマーカー領域の塗り潰し表示を行うようにしてもよい（請求項２２）。かかるマスク画像を作成することで，マーカー領域に該当する部分は塗り潰されて目視できない状態となり，その他の領域は透過されて目視できる状態とすることができる。
【００２８】
画像表示工程において，マーカー領域の表示を，入力画像の表示と低解像度表示とに切り替えて表示するようにしてもよい（請求項２３）。このような低解像度での表示や低濃度レベルでの表示など，画像の一部の情報のみを用いて表示することで，表示媒体上に表示された内容を目視できない状態にすることができ，所定の色で塗り潰すことと表示上同様の効果が得られる。
【００２９】
画像表示工程においてマーカー領域の表示に用いる色およびパターンは，ユーザが任意に指定するかまたはマーカー領域に応じて自動的に決定されるようにしてもよい（請求項２４）。
【００３０】
マーカー領域ごとの表示方法の切り替えを指定する表示切替マーカー指定工程をさらに含み，画像表示工程において，複数存在するマーカー領域のうち，表示切替マーカー指定工程により指定されたマーカー領域のみの表示方法を切り替えて，入力画像を表示するようにしてもよい（請求項２５）。かかる方法によれば，マーキングされた表示画面を画像として入力し，その入力画像からマーカー領域を判別し，判別したマーカー領域のうち指定したマーカー領域のみの表示方法を切り替えることができるので，ユーザが任意のマーカー領域の表示方法を変えることができる。具体的には，表示画面上の注目しているマーキング部分に表示されていた内容のみを，例えば目視できる状態と目視できない状態とに容易に切り替えて表示し，その他のマーキング部分は目視できる状態にしておくことができる。従って，マーキング部分を順番に注目し，その都度注目しているマーキング部分の表示内容のみを，例えば目視できる状態と目視できない状態とに容易に切り替えて表示することができる。
【００３１】
画像表示工程において，複数存在するマーカー領域を所定の順番で表示方法を切り替えて，入力画像を表示するようにしてもよい（請求項２６）。例えば，ユーザの表示切り替え指示に基づいてその順番でマーカー領域の表示方法を切り替えることができるので，例えば，マーキングの種別と重要度を対応づけ，重要度の高い順番にマーカー領域の表示方法を切り替えて表示することが可能である。
【００３２】
画像表示工程において，表示切替マーカー指定工程により指定されたマーカー領域が画面の中央に表示されるように画像をスクロールさせるようにしてもよい（請求項２７）。例えば，マーキングの種別と重要度を対応づけ，重要度の高い順番にマーカー領域の表示方法を切り替えて表示する場合などにおいて，注目すべきマーカー領域を，画面の中央に表示することができる。
【００３３】
マーカー領域の表示方法を切り替えて表示を行う複数の画像に対して，画像を表示する順番を記憶し，複数存在する画像から画像入力工程で入力される画像を制御する画像制御工程と，表示切替マーカー指定工程において指定されたマーカー領域の状態に関する情報を保持する状態保持工程と，をさらに含むようにしてもよい（請求項２８）。かかる方法によれば，画像制御工程において，マーカー領域の表示方法を切り替えて表示を行う複数の画像に対して，どの順番で画像を表示するかを記憶しておく。そして，状態保持工程において，マーカー領域の状態に関する情報，例えば，画像の表示を中断する際に，表示する画像の順番，表示している画像，表示方法を切り替えているマーカー領域などに関する情報を保持することができる。このようにして，表示方法を切り替えたいマーカー領域が複数の画像に存在した場合も，容易に設定した順番で画像を表示し，マーカー領域の表示方法を切り替えることができる。また，画像の表示を中断した際に，表示している画像や表示方法を切り替えているマーカー領域の状態を記憶しておくことで，その後画像の表示を再開する際に，記憶しておいた状態に基づいて中断した際と同じ状態に復帰させることができる。
【００３４】
マーカー領域として判別する対象とするマーカー種別を設定するマーカー種別設定工程をさらに含み，マーカー領域判別工程において，マーカー種別設定工程で設定されたマーカー領域のみを判別するようにしてもよい（請求項２９）。かかる方法によれば，マーキングされた原稿を画像として入力し，その入力画像から指定するマーカー領域だけを判別することによって，マーキングされた原稿を画面上に表示する際，指定したマーカー領域のみの表示方法を切り替えて表示することができる。すなわち原稿上に複数の種別のマーキングがあったとしても，ユーザが表示方法を切り替えたい任意のマーカー種別だけを指定し，そのマーカー領域を表示する際にそのマーカー領域だけの表示方法を切り替えることができる。具体的には，原稿上の指定したマーキング種別の領域だけを入力画像の表示と所定の色やパターンまたは背景色での表示とに切り替えることで，原稿上の指定したマーキング部分のみ記入内容を，例えば目視できる状態と目視できない状態とに容易に切り替えて表示することが実現できる。
【００３５】
マーカー領域判別工程で判別されたマーカー領域の種別ごとに，対応する表示方法を設定するマーカー表示設定工程をさらに含むようにしてもよい（請求項３０）。かかる方法によれば，各マーカー領域の種別に応じてマーカー領域の表示方法を指定することができる。従って，原稿の内容種別（例えば，平仮名，片仮名，英字や数字など）に応じて異なるマーキングを施しておけば，原稿上のマーキング部分の記入内容が目視できない状態の場合であっても，表示方法が異なるので記入内容の種別が即座に確認できる。
【００３６】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００３７】
以上説明したように，本発明によれば，マーキングされた原稿を画像として入力し，その入力画像からマーカー領域を判別し，マーカー領域の表示方法を切り替える手段を設けることによって，マーキングされた原稿を画面上に表示する際，簡単にマーカー領域の表示方法を切り替えて表示することができる。具体的には，原稿上のマーキングされた領域を入力画像の表示と所定の色またはパターンでの表示とに切り替えることで，例えば原稿上のマーキング部分の記入内容を目視できる状態と目視できない状態とに容易に切り替えて表示することができる。
【００３８】
そして，このような本発明を用いて，例えば教科書の暗記などの学習効果を高めることができる。具体的には，学習する分の教科書を画像として撮影しておくことで，教科書を持ち運ぶ必要がなくなる。さらには，小型の携帯端末装置であれば，時間や場所を選ばずに学習することができる。また，本発明の好適な例としてカメラ付携帯端末装置であれば，教科書などの被処理媒体の撮影から学習までひとつの装置で実現可能となる。
【発明を実施するための最良の形態】
【００３９】
以下に添付図面を参照しながら，本発明にかかる画像表示装置および画像表示方法の好適な実施の形態について詳細に説明する。なお，本明細書および図面において，実質的に同一の機能構成を有する構成要素については，同一の符号を付することにより重複説明を省略する。
【００４０】
（第１の実施の形態）
図１は，第１の実施の形態にかかる画像表示装置の構成を示す説明図である。
本実施の形態にかかる画像表示装置１００は，図１に示したように，画像入力部１１０と，マーカー領域判別部１２０と，表示方法切替部１３０と，画像表示部１４０を備えて構成されている。
【００４１】
画像入力部１１０は，マーキングが記入された被処理媒体を読み取った画像を入力する機能部である。被処理媒体の読み取りは，例えば，被処理媒体を撮像することにより行うことができる。なお，画像入力部１１０で入力された画像を，以下，入力画像という。マーカー領域判別部１２０は，被処理媒体を読み取った入力画像から，被処理媒体上にマーキングされたマーカー領域を判別し，その座標を求める機能部である。表示方法切替部１３０は，マーカー領域判別部１２０で判別したマーカー領域の表示方法を切り替える機能部である。画像表示部１４０は，表示方法切替部１３０で指定した方法でマーカー領域を表示する機能部である。すなわち，表示方法切替部１３０でマーカー領域の表示方法を切り替えることができ，画像表示部１４０で入力画像を表示する際に，その指定に応じてマーカー領域の表示方法を切り替えることができる。
【００４２】
本実施の形態にかかる画像表示装置１００は，以上のように構成されている。
次いで，本実施の形態の動作について，図１〜図６を参照しながら説明する。
なお，本実施の形態では，被処理媒体として，原稿などの印刷媒体を例に挙げて説明する。
【００４３】
（画像入力）
画像入力部１１０では，図２に示したように，原稿１０の一部の領域がマーキング３０，３１された原稿をカメラやスキャナなどの入力装置で読み取った画像を入力する。なお，カメラなどの入力装置は必須ではなく，ネットワークなどを介して，別の装置に付随した入力装置で読み取った画像を入力としてもよい。なお，この画像を入力画像と称する。
【００４４】
図２に示すように原稿１０には，文字２０，２５が記入されており，マーキング３０，３１が存在する。ここで文字２５は，暗記などを目的としてマーキングされた文字であり，文字２０はそれ以外の文字である。マーキングは，文字２５を含有するようなマーキング３０であってもよいし，ある領域を囲むようなマーキング３１であってもよい。またマーキングは，既に原稿に印刷されるものであってもよいし，ユーザが任意に記入してもよい。本実施の形態では，文字２０，２５は黒色，マーキングはカラーペンによって記入された原稿とするが，記入内容は文字に限定せず，文字やマーキングの色もこの限りではない。
【００４５】
（マーカー領域判別）
図３は図２の原稿１０を画像入力部１１０で読み取った入力画像１５である。マーカー領域判別部１２０では，入力画像から原稿上に記入されたマーキングをマーカー領域として判別する。本実施の形態では，マーカー領域は，それ以外の領域と色成分が異なるため，例えば特許第２８９６９１９号公報に記載されているような色度図を用いた方法で，まず所定の色で記入されている部分を分別できる。さらに，所定の色で塗り潰された領域や所定の色で囲まれた領域を求めることで，マーカー領域４０，４１を判別することができる。なお，特許第２８９６９１９号公報に記載の技術は公知技術であり，本発明の本質的特徴でないことから，詳細な説明を省略する。また，同文献に記載の技術は，マーカー領域判別部１２０の機能を実現するための一例に過ぎず，他の方法を用いてもよいことはいうまでもない。
【００４６】
なお，マーカー領域はそれ以外の領域と色成分が異なれば，マーキングや文字の色は特に限定しない。また色成分の違いはなくてもマーカー領域とそれ以外の領域の濃度レベルが異なっていた場合も同様に特許第２８９６９１９号公報に記載されているような濃度レベルの差による分別によりマーカー領域を判別することができる。
【００４７】
また，原稿上にマーキングをせずに，マーキングに該当する部分の文字色を変更することで，マーキングと同等の結果が得られる。具体的には，文字２５の色成分を文字２０の色成分と異なる例えば赤色にすることで，前述の色度図を用いた方法を用いて文字２５の領域を分別することができ，さらにそれらの領域を統合することにより，マーキング３０，３１と同様なマーカー領域を判別することができる。
【００４８】
マーカー領域判別部１２０では，このようにして判別したマーカー領域の座標を求める。
【００４９】
（表示方法切替）
表示方法切替部１３０では，入力画像を画像表示部１４０で表示する際に，マーカー領域の表示方法を切り替えることができる手段を提供する。例えば，入力画像そのものを表示する場合と，マーカー領域判別部１２０で判別したマーカー領域の座標から，マーカー領域に該当する入力画像の部分を所定の色で塗り潰して表示する場合の２通りを切り替えることができる。具体的には，本実施の形態では，表示方法切替部１３０によって，図３に示す入力画像を表示する場合と，図４に示すようにマーカー領域だけを黒色の塗り潰し５０，５１を付与した入力画像１６を表示する場合とに切り替えることができる。
【００５０】
なお，切り替える方法は２通り以上でもよく，黒色の塗り潰しに限らず任意の色を使用することができる。また，塗り潰しの代わりに任意の所定のパターンでマーカー領域を表示してもよい。さらには，マーカー領域と同じ色を塗り潰し色として使用することもできる。その場合は，例えばマーカー領域内の画素値の平均値を塗り潰し色とすればよい。
【００５１】
また，図４に示すようにマーカー領域を塗り潰して表示するために，以下の方法を用いることもできる。まずマーカー領域判別部１２０で判別したマーカー領域の座標から，マーカー領域に該当する部分は所定の色で塗り潰し，その他の領域は透過色として設定した図５のようなマスク画像１８を作成する。マスク画像は，背景となる画像と重ね合わせて表示した際，塗り潰し領域６０，６１は，マスク画像の内容が表示され，それ以外の透過色として設定された領域は，背景となる画像が透過され，その部分は背景の画像の内容が表示される。従って，図３の入力画像を背景となる画像として図５のマスク画像を重ねて表示することで，図４に示すようにマーカー領域だけを黒色の塗り潰し５０，５１で表示することができる。
【００５２】
なお，判別したマーカー領域が複数あれば，その領域の数だけマスク画像を作成し，背
景となる入力画像に，複数枚のマスク画像を順番に重ね合わせて表示することもできる。
【００５３】
表示方法の具体的な切り替えを指示する手段としては，キーボード，マウス，ボタンだけに限らず，その他音声認識など任意の入力手段を用いることができる。
【００５４】
（画像表示）
画像表示部１４０では，表示方法切替部１３０の指定に基づいてマーカー領域の表示方法を切り替えて，入力画像をＣＲＴなどの出力装置に表示する。具体的には，表示方法切替部１３０の指定に基づいて図３または図４のように画像を表示する。
【００５５】
なお，表示方法切替部１３０の指示により，画像表示部１４０において入力画像を表示する場合と，マーカー領域だけを塗り潰して表示する場合とに切り替えて表示する処理の流れを示したのが図６である。
【００５６】
まず，ステップＳ１１０において，マーカー領域をどの方法で表示するかを示す変数Ｆｌａｇの値を塗り潰して表示することを示す「１」とする。
【００５７】
次に，ステップＳ１２０で上記変数が「１」かどうかを判断し，「１」であればステップＳ１３０でマーカー領域を塗り潰して表示し，そうでなければステップＳ１４０で入力画像を表示する。
【００５８】
さらに，ステップＳ１５０では，表示を終了する条件か判断し，表示を終了する場合以外は，ステップＳ１６０に進む。ステップＳ１６０では，表示方法切替部１３０の指示に応じて，指示がマーカー領域を塗り潰す場合は，ステップＳ１７０で上記変数のＦｌａｇの値を「１」にし，そうでない場合はステップＳ１８０で「０」とし，ステップＳ１２０に戻る。
【００５９】
以上の操作を表示が終了するまで行い，表示方法切替部１３０の指示により，マーカー領域の表示方法を切り替えて，画像表示部１４０に表示することができる。
【００６０】
（画像スクロール）
さらに，画像表示部１４０は，表示画面内に画像全体が収まらない場合，ユーザの指定に基づいて画像を上下左右にスクロールする機能を有することもできる。さらには，ユーザの指定に基づいて画像の表示倍率を変更し，拡大／縮小表示する機能も有する。上記のユーザの指定は，キーボード，マウス，ボタンなどの入力装置を用いて行うことができる。
【００６１】
（第１の実施の形態の効果）
以上説明したように，本実施の形態によれば，マーキングされた原稿を画像として入力し，その入力画像からマーカー領域を判別し，マーカー領域の表示方法を切り替える手段を設けることによって，マーキングされた原稿を画面上に表示する際，簡単にマーカー領域の表示方法を切り替えて表示することができる。具体的には，原稿上のマーキングされた領域を入力画像の表示と所定の色またはパターンでの表示とに切り替えることで，例えば原稿上のマーキング部分の記入内容を目視できる状態と目視できない状態とに容易に切り替えて表示することができる。
【００６２】
なお，原稿上のマーキングは，原稿上のその他の部分と色成分，濃度レベルが異なればどのようなものでもよく，ユーザが任意にマーキングを行うことができる。また，あらかじめ表示方法を変更したい部分の内容をその他の部分と色成分，濃度レベルが異なるように印刷することも，あるいはユーザが任意に記入することも可能である。
【００６３】
（第２の実施の形態）
上述した第１の実施の形態では，原稿上にマーキングされたマーカー領域の表示方法を個別に切り替えることはできなかった。これに対して，第２の実施の形態では，表示を切り替えるマーカー領域を指定する手段を設け，ユーザが指定したマーカー領域のみの表示方法を切り替えることを特徴とする。
【００６４】
図７は，第２の実施の形態にかかる画像表示装置の構成を示す説明図である。
本実施の形態にかかる画像表示装置２００は，図７に示したように，第１の実施の形態にかかる画像表示装置１００（図１）の構成に，表示切替マーカー指定部１５０を追加したことを特徴とする。
【００６５】
表示切替マーカー指定部１５０は，マーカー領域判別部１２０で判別したマーカー領域のうち，表示方法を切り替えるマーカー領域を指定する機能部である。すなわち，表示切替マーカー指定部１５０では，マーカー領域判別部１２０で判別したマーカー領域のうち，表示方法を切り替えるマーカー領域を指定することができ，画像表示部１４０で入力画像を表示する際に，その指定されたマーカー領域のみマーカー領域の表示方法を切り替えることができる。
【００６６】
その他の構成については，上記第１の実施の形態と実質的に同様であるので，重複説明を省略する。
【００６７】
次いで，本実施の形態の動作について，図７〜図１３を参照しながら説明する。
なお，本実施の形態では，被処理媒体としてＣＲＴによる表示画面などの表示媒体を例に挙げて説明する。また，第１の実施の形態と実質的に同様の動作については，重複説明を省略する。
【００６８】
（表示切替マーカー指定）
表示切替マーカー指定部１５０では，入力画像を画像表示部１４０で表示する際に，マーカー領域の表示方法を切り替えるマーカー領域を指定する手段を提供する。第１の実施の形態では，表示方法切替部１３０によって，マーカー領域判別部１２０で判別したマーカー領域の表示方法を切り替えることができるが，すべてのマーカー領域の表示方法が切り替わってしまう。それに対して，表示切替マーカー指定部１５０を設けることで，表示切替マーカー指定部１５０で指定したマーカー領域のみの表示方法を切り替えることができる。
【００６９】
例えば，図８のような複数のマーキング３０，３２が記入された表示画面１２を読み取って，図９に示す入力画像１５が得られる場合，マーカー領域判別部１２０でマーカー領域４０，４２を判別することができる。さらに，表示方法切替部１３０により，図９に示す入力画像を表示する場合と，図１０（Ａ）に示すようにマーカー領域５０，５２だけを低解像度で表示する場合とに切り替えることができる。
【００７０】
そして，表示切替マーカー指定部１５０で表示方法を切り替えるマーカー領域として，マーカー領域５０を指定することで，図１０（Ａ）に示すようなすべてのマーカー領域が低解像度で表示する場合と図１０（Ｂ）に示すようなマーカー領域５２だけが低解像度で表示する場合とに切り替えることができる。
【００７１】
なお，具体的なマーカー指定方法は，マウスのような入力装置を用いてマーカー領域を指し示すような方法でもよいし，マーカー領域判別部１２０で判別したマーカー領域に番号を振っておき，その番号を画面上に表示した上でその番号をボタンやキーボートなどの入力装置で指定するような方法でもよい。あるいは，マイクなどからマーカー領域番号を音声で入力し，音声認識手段を用いて，指定するマーカー領域を認識する方法でもよい。
【００７２】
（隠した領域を順番に開いていく方法）
また，別の指定方法として，ユーザが所定の操作をする（例えばあるボタンを押す）ことによって，表示画面内に表示されているマーカー領域を所定の順番で，表示方法を切り替えるマーカー領域として指定することも可能である。その際，指定されたマーカー領域であることをユーザに明示するために，他のマーカー領域とは区別できるような表示方法を用いることができる。例えばマーカー領域を所定の色で囲うような枠線を同時に表示することができる。
【００７３】
具体的に説明すると，図１１において表示方法を切り替えるマーカー領域であるマーカー領域４０は，指定されていることが分かるように，枠線６０がマーカー領域４０の周辺に表示されている。図中の矢印は，ユーザがあるボタンを押すことによって次に指定されたマーカー領域となる遷移順を示している。次にユーザによりボタンが押されれば，マーカー領域４２が表示方法を切り替えることができるマーカー領域となる。図１１に示した例では，マーカー領域が２つしかないが，同様に３つ以上存在する場合も，順番に表示方法を切り替えるマーカー領域として指定することができる。なお，指定したマーカー領域が画面の中央に表示されるように画像をスクロールさせることもできる。
【００７４】
また，例えば被処理媒体が文書である場合，指定されたマーカー領域となる遷移の順番は，その文書が横書きの場合と縦書きの場合で，変更することも可能である。横書きの場合は，マーカー領域の座標が，左上に存在するマーカー領域から右下に存在するマーカー領域の順（いわゆるラスター順）で表示方法を切り替えるマーカー領域として指定されれば，対象となる文書の順序に従って表示方法を切り替えるマーカー領域を指定できる。
【００７５】
このように，表示方法を切り替えるマーカー領域を上記のように指定する手段と，画像表示部１４０の画像をスクロールする機能を用いれば，表示方法を切り替えることができるマーカー領域を順番に指定することが可能となる。すなわち，マーカー領域が画像のどの位置にあっても，まず，表示方法を切り替えたいマーカー領域を順番に画面に表示されるように画像をスクロールし，さらに，表示画面内に複数のマーカー領域があったとしても，ひとつのボタンを繰り返し操作することによって，所望のマーカー領域を，表示方法を切り替えるマーカー領域として指定することができる。
【００７６】
（画像表示）
本実施の形態では，マーカー領域を所定の色，パターンで塗り潰すのではなく，画像の一部の解像度情報を用いて表示する例を説明した。このような低解像度での表示や低濃度レベルでの表示など，画像の一部の情報のみを用いて表示することで，表示媒体上に表示された内容を目視できない状態にすることができ，所定の色で塗り潰すことと表示上同様の効果が得られる。
【００７７】
なお，表示切替マーカー指定部１５０の指示により，画像表示部１４０において指定したマーカー領域のみの表示方法を切り替えて表示する処理の流れを示したのが図１２である。なお，このフローチャートでは，マーカー領域を低解像度で表示するのではなく，第１の実施の形態と同様に塗り潰して表示する場合の例であり，ステップＳ１１０〜Ｓ１５０までは第１の実施の形態と実質的に同様であるので，重複説明を省略する。
【００７８】
ステップＳ２５２では，表示切替マーカー指定部１５０の指示により，表示方法を切り替えるマーカー領域の指定があるかどうかを判断し，指定があればステップＳ２５４に進む。なければステップＳ１６０へ進む。
【００７９】
ステップＳ２５４では，指定されたマーカー領域の現在の表示方法がどちらであるかを判断し，現在の表示方法が塗り潰し表示であれば，ステップＳ２５６で前記マーカー領域を入力画像表示に切り替える。そうでなければステップＳ２５８で前記マーカー領域を塗り潰し表示に切り替える。いずれの場合も表示を切り替えた後は，ステップＳ１６０へ進む。
【００８０】
ステップＳ１６０の後工程も第１の実施の形態と実質的に同様であるので，重複説明を省略する。
【００８１】
以上の操作を表示が終了するまで行い，表示切替マーカー指定部１５０の指示により，指定したマーカー領域のみの表示方法を切り替えて，画像表示部１４０に表示することができる。
【００８２】
上記の実施の形態では，マーカー領域の表示方法を切り替えるマーカー領域をユーザが指定し，指定したマーカー領域のみの表示方法を切り替えることができるが，例えば，マーカー領域の表示方法を切り替える順番をあらかじめ決めておき，ユーザの表示切り替え指示に基づいて，その順番でマーカー領域の表示方法を切り替えることも容易に実現可能である。
【００８３】
例えば，マーカー領域判別手段で求めたマーカー領域の座標に基づいて，表示画面上において上部にあるマーカー領域から下部にあるマーカー領域の順番に，マーカー領域の表示方法を切り替えるように決めておけば，図１３に示すように，ユーザの表示切り替え指示に基づいて図１３の（Ａ），（Ｂ），（Ｃ）の順番に画像を表示できる。図１３において，（Ａ）はすべてのマーカー領域の表示を切り替えた場合であり，文字５０，５２が低解像度表示されている。（Ｂ）は（Ａ）の文字５０の表示を切り替えた場合であり，文字５２のみが低解像度表示されている。（Ｃ）はさらに（Ｂ）の文字５２の表示を切り替えた場合を示している。
【００８４】
（第２の実施の形態の効果）
以上説明したように，本実施の形態によれば，マーキングされた表示画面を画像として入力し，その入力画像からマーカー領域を判別し，判別したマーカー領域のうち指定したマーカー領域のみの表示方法を切り替えることができるので，ユーザが任意のマーカー領域の表示方法を変えることができる。具体的には，表示画面上の注目しているマーキング部分に表示されていた内容のみを，例えば目視できる状態と目視できない状態とに容易に切り替えて表示し，その他のマーキング部分は目視できない状態にしておくことができる。従って，マーキング部分を順番に注目し，その都度注目しているマーキング部分の表示内容のみを，例えば目視できる状態と目視できない状態とに容易に切り替えて表示することができる。
【００８５】
また，本実施の形態では，マーカー領域を所定の色で塗り潰す代わりに，入力画像を表示する際に画像情報をすべて用いて表示するのではなく，画像の一部の情報のみを用いて表示している。つまり，入力画像を表示する際にマーカー領域における画像情報の取り扱い方法を変えるだけで，表示媒体上に表示されていた内容を目視できない状態にすることが容易に実現できる。
【００８６】
（第３の実施の形態）
上述した第１の実施の形態では，原稿上にあるすべてのマーキングに該当するマーカー領域を判別し，なおかつマーカー領域の表示方法はすべて同じであった。これに対して，第３の実施の形態では，マーカー領域として判別するマーカー種別を設定する手段を設け，指定したマーカー領域だけを判別し，そのマーカー領域のみの表示を切り替えることを特徴とする。さらには，各マーカー領域の種別に応じてマーカー領域の表示方法を指定する手段を設け，マーカー領域の種別に応じて異なる表示方法を行うことを特徴とする。
【００８７】
図１４は，第３の実施の形態にかかる画像表示装置の構成を示す説明図である。
本実施の形態にかかる画像表示装置３００は，図１４に示したように，第１の実施の形態にかかる画像表示装置１００（図１）の構成に，マーカー種別設定部１６０とマーカー表示設定指定１７０を追加したことを特徴とする。
【００８８】
マーカー種別設定部１６０は，マーカー領域判別部１２０で判別する対象とするマーカー領域の種別を設定する機能部である。また，マーカー表示設定部１７０は，各マーカー領域の種別に対応する表示方法を設定する機能部である。
【００８９】
その他の構成については，上記第１の実施の形態と実質的に同様であるので，重複説明を省略する。
【００９０】
次いで，本実施の形態の動作について，図１４〜図１７を参照しながら説明する。
なお，第１の実施の形態と実質的に同様の動作については，重複説明を省略する。
【００９１】
（マーカー種別設定）
マーカー種別設定部１６０では，マーカー領域判別部１２０でマーカー領域と判定するマーカー種別を設定する。マーカー種別は１種類に限らず複数種類設定してもよい。例えば，図１５をマーキングされた原稿とし，その入力画像（図１６）における下線の存在する領域をマーカー領域判別部１２０で判別するマーカー領域として，マーカー種別設定部１６０で設定すると，マーカー領域判別部１２０では，下線の存在する領域３６のみをマーカー領域４６として判別し，表示方法切替部１３０によって，図１６に示す入力画像を表示する場合と，図１７（Ａ）に示すように下線の存在する領域４６だけを所定のパターンでの塗り潰し５６で表示する場合とに切り替えることができる。
【００９２】
（マーカー表示設定）
マーカー表示設定部１７０では，表示方法切替部１３０によって，マーカー領域の表示方法を切り替える際の表示方法をマーカー種別ごとに設定することができる。例えば，マーカー種別設定部１６０で，マーカー領域判別部１２０で判別するマーカー種別を枠線で囲まれた領域と下線の存在する領域とカッコ内の領域とし，さらに，マーカー表示設定部１７０で，枠線で囲まれた領域の表示方法は背景色での塗り潰し，下線の存在する領域の表示方法は所定のパターンでの塗り潰し，カッコ内の領域は黒色での塗り潰しとして設定する。
【００９３】
そのようにすることで，マーカー領域判別部１２０では，枠線で囲まれた領域３４と下線の存在する領域３６とカッコ内の領域３８のみをマーカー領域４４，４６，４８として判別し，表示方法切替部１３０によって，図１６に示す入力画像を表示する場合と，図１７（Ｂ）に示すように枠線で囲まれたマーカー領域４４を背景色での塗り潰し５４（図中の実線は本実施の形態の説明のためのものであり，実際は存在しない），下線の存在する領域４６を所定のパターンでの塗り潰し５６，カッコ内の領域４８は黒色での塗り潰し５８で表示する場合とに切り替えることができる。
【００９４】
なお，本実施の形態ではマーカー領域と判別するマークを下線の存在する領域やカッコ内の領域としたがこれ以外でも，マーカー領域として認識できるマークであれば特に限定しない。枠線で囲まれた領域や下線の存在する領域は，ＯＣＲ技術において黒画素の連続する画素数により罫線を抽出するような公知の罫線検出技術を用いて判別することができる。また，カッコ内の領域は，文字認識の技術を用いて特定の文字コードを見つけることで判別することができる。
【００９５】
（画像表示）
また，本実施の形態では，マーカー領域を所定の色，パターンで塗り潰す場合の他に，背景色で塗り潰す例を示したが，背景色での塗り潰しは，判別したマーカー領域周辺画素の色情報に基づいて，例えば周辺画素値の平均値を，マーカー領域を塗り潰す背景色とすることで実現できる。
【００９６】
また，本実施の形態では，設定したマーカー種別に応じてマーカー領域を判別し，マーカー領域の種別に応じて異なる表示方法で表示することが異なるだけで，表示方法を切り替えて表示する処理の流れは，第１の実施の形態（図６）と同じである。
【００９７】
上記第２の実施の形態では，マーカー領域の座標に基づいて，マーカー領域の表示方法を切り替えて表示する順番をあらかじめ決めておき，ユーザの表示切り替え指示に基づいてその順番でマーカー領域の表示方法を切り替える例を示した。また，本実施の形態では，マーカー領域を判別する際にマーカー種別設定部１６０で設定したマーカー種別に応じてマーカー領域を判別する例を示した。従ってこれらを組み合わせることで，マーカーの種別に応じて，マーカーの表示方法を切り替えて表示する順番を決めておき，ユーザの表示切り替え指示に基づいてその順番で表示方法を切り替えることも容易に実現可能である。表示方法を切り替える順番として，青色のマーキング，黄色のマーキング，赤色のマーキングの順番とすることで，表示する際は，その順番にマーカー領域の表示方法を切り替えて表示することができ，例えばマーキングの種別と重要度を対応づけ，重要度の高い順番にマーカー領域の表示方法を切り替えて表示することも可能となる。
【００９８】
（第３の実施の形態の効果）
以上説明したように，本実施の形態によれば，マーキングされた原稿を画像として入力し，その入力画像から指定するマーカー領域だけを判別することによって，マーキングされた原稿を画面上に表示する際，指定したマーカー領域のみの表示方法を切り替えて表示することができる。すなわち原稿上に複数の種別のマーキングがあったとしても，ユーザが表示方法を切り替えたい任意のマーカー種別だけを指定し，そのマーカー領域を表示する際にそのマーカー領域だけの表示方法を切り替えることができる。具体的には，原稿上の指定したマーキング種別の領域だけを入力画像の表示と所定の色やパターンまたは背景色での表示とに切り替えることで，原稿上の指定したマーキング部分のみ記入内容を，例えば目視できる状態と目視できない状態とに容易に切り替えて表示することが実現できる。
【００９９】
また，本実施の形態では，各マーカー領域の種別に応じてマーカー領域の表示方法を指定することができる。従って，原稿の内容種別（例えば，平仮名，片仮名，英字や数字など）に応じて異なるマーキングを施しておけば，原稿上のマーキング部分の記入内容が目視できない状態の場合であっても，表示方法が異なるので記入内容の種別が即座に確認できる。
【０１００】
（第４の実施の形態）
上述した第２の実施の形態では，ひとつの画像に対してのみ，その画像上にあるマーカー領域の表示方法を切り替えて表示していた。これに対して，第４の実施の形態では，複数の画像にわたって，各画像上のマーカー領域の表示方法を切り替えることができる手段を設ける。また，表示を中断した場合，表示していた画像や表示方法を切り替えていたマーカー領域の状態を保持する手段を設けることによって，表示を再開した場合に，中断した状態から再びマーカー領域の表示方法を切り替えて表示することを特徴とする。
【０１０１】
図１８は，第４の実施の形態にかかる画像表示装置の構成を示す説明図である。
本実施の形態にかかる画像表示装置４００は，図１８に示したように，第２の実施の形態にかかる画像表示装置２００（図７）の構成に，画像制御部１８０と状態保持部１９０を追加したことを特徴とする。
【０１０２】
画像制御部１８０は，画像を表示する順番を記憶し，複数存在する画像から画像入力部１１０に入力する画像を制御する機能部である。状態保持部１９０は，表示している画像や表示方法を切り替えているマーカー領域の状態を保持する機能部である。すなわち，画像制御部１８０では，画像を表示する順番を記憶し，複数存在する画像から画像入力部１１０に入力する画像を制御する。そして，状態保持部１９０では，表示している画像や表示方法を切り替えているマーカー領域の状態を保持することができる。
【０１０３】
その他の構成については，上記第２の実施の形態と実質的に同様であるので，重複説明を省略する。
【０１０４】
次いで，本実施の形態の動作について説明する。
なお，第２の実施の形態と実質的に同様の動作については，重複説明を省略する。
【０１０５】
（画像制御）
画像制御部１８０では，マーカー領域の表示方法を切り替えて表示を行う複数の画像に対して，どの順番で画像を表示するかを記憶しておく。その順番はその画像が取得された時刻順あるいはファイルとして保存された時刻順，または画像がファイルとして保存されていればファイル名のアルファベット順でもよい。さらには，ユーザがあらかじめ任意の順番で画像の表示順を設定しておいてもよい。
【０１０６】
まず，初期の状態では，上記のように決めた最初の画像を画像入力部１１０に入力する。それ以降のマーカー領域の判別，表示方法の切り替えについては，第２の実施の形態と同じである。
【０１０７】
次に，ユーザが次の画像を表示するように指示した場合，画像制御部１８０に記憶されている画像の順番を参照し，現在表示している画像の次の順番に該当する画像を画像入力部１１０に入力する。指定方法は，キーボード，マウス，ボタンなどの入力装置を用いればよい。なお，次の画像だけでなく，前の画像を表示することや次の次の画像を表示することも，画像制御部１８０に記憶されている画像の順番を参照し，該当する画像を画像入力部１１０に入力することによって実現できる。
【０１０８】
（状態保持）
状態保持部１９０では，画像の表示を中断する際に，表示する画像の順番，表示している画像，表示方法を切り替えているマーカー領域を記憶しておく。
【０１０９】
そのような情報を状態保持部１９０で記憶しておくことによって，表示中断後に再び画像の表示を行った際に，ユーザが表示を中断したときと同じ状態から再び画像を表示することができる。すなわち，状態保持部１９０で記憶していた表示する画像の順番を画像制御部１８０に設定し，表示していた画像を画像入力部１１０に入力することによって表示を中断したときに表示していた画像を表示することができる。さらに，状態保持部１９０で記憶していたマーカー領域を表示切替マーカー指定部１５０で指定することにより，そのマーカー領域が表示方法を切り替えることができるマーカー領域と設定され，表示を中断した状態に復帰することが可能である。
【０１１０】
（第４の実施の形態の効果）
以上説明したように，本実施の形態によれば，複数ある画像に対して表示する順番を設定し，記憶しておくことで，ユーザの指定により，記憶した順番に画像を表示し，各画像に存在するマーカー領域の表示方法を切り替えて表示することができる。すなわち，表示方法を切り替えたいマーカー領域が複数の画像に存在した場合も，あらかじめ表示したい順番に画像を設定しておけば，容易に設定した順番で画像を表示し，マーカー領域の表示方法を切り替えることができる。
【０１１１】
また，画像の表示を中断した際に，表示している画像や表示方法を切り替えているマーカー領域の状態を記憶しておくことで，その後画像の表示を再開する際に，記憶しておいた状態に基づいて中断した際と同じ状態に復帰させることができる。従って，ユーザが表示を中断した後に画像表示を再開した場合でも，初期の状態に戻るのではなく，中断した状態から再び画像の表示，マーカー領域の表示方法の切り替えを継続して行うことができる。
【０１１２】
以上，添付図面を参照しながら本発明にかかる画像表示装置および画像表示方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【０１１３】
本発明は，入力された画像上でマーキングされた領域を認識し，その部分の表示方法を切り替えることができる画像表示装置および画像表示方法に利用可能である。
【図面の簡単な説明】
【０１１４】
【図１】第１の実施の形態にかかる画像表示装置の構成を示す説明図である。
【図２】一部の領域をマーキングした原稿を示す説明図である。
【図３】図２のマーキングされた原稿を読み取った入力画像を示す説明図である。
【図４】図３の入力画像のマーカー領域を塗り潰しで表示した画像を示す説明図である。
【図５】マーカー領域の塗り潰し表示用のマスク画像を示す説明図である。
【図６】第１の実施の形態にかかる表示切替方法のフローチャートである。
【図７】第２の実施の形態にかかる画像表示装置の構成を示す説明図である。
【図８】マーキングが複数存在する表示画面を示す説明図である。
【図９】図８のマーキングされた表示画面を読み取った入力画像を示す説明図である。
【図１０】図９の入力画像のマーカー領域を低解像度で表示した画像を示す説明図である。
【図１１】図９の入力画像におけるマーカー領域指定方法に関する説明図である。
【図１２】第２の実施の形態における表示切替方法のフローチャートである。
【図１３】図９の入力画像のマーカー領域を所定の順番に低解像度で表示した画像を示す説明図である。
【図１４】第３の実施の形態にかかる画像表示装置の構成を示す説明図である。
【図１５】マーキングが複数存在する原稿を示す説明図である。
【図１６】図１５のマーキングされた原稿を読み取った入力画像を示す説明図である。
【図１７】図１６の入力画像のマーカー領域を塗り潰しで表示した画像を示す説明図である。
【図１８】第４の実施の形態にかかる画像表示装置の構成を示す説明図である。
【符号の説明】
【０１１５】
１００，２００，３００  画像表示装置
１１０  画像入力部
１２０  マーカー領域判別部
１３０  表示方法切替部
１４０  画像表示部
１５０  表示切替マーカー指定部
１６０  マーカー種別指定部
１７０  マーカー表示設定部
１８０  画像制御部
１９０  状態保持部
【図１】
2005217599.tif 000003
【図２】
2005217599.tif 000004
【図３】
2005217599.tif 000005
【図４】
2005217599.tif 000006
【図５】
2005217599.tif 000007
【図６】
2005217599.tif 000008
【図７】
2005217599.tif 000009
【図８】
2005217599.tif 000010
【図９】
2005217599.tif 000011
【図１０】
2005217599.tif 000012
【図１１】
2005217599.tif 000013
【図１２】
2005217599.tif 000014
【図１３】
2005217599.tif 000015
【図１４】
2005217599.tif 000016
【図１５】
2005217599.tif 000017
【図１６】
2005217599.tif 000018
【図１７】
2005217599.tif 000019
【図１８】
2005217599.tif 000020